【手続補正書】
【提出日】平成17年6月22日(2005.6.22)
【手続補正１】
【補正対象書類名】明細書
【補正対象項目名】特許請求の範囲
【補正方法】変更
【補正の内容】
【特許請求の範囲】
【請求項１】
映像信号に電子透かし信号を埋め込むための電子透かし処理装置であって、
映像の動きを検出する動き検出手段と、
該検出された映像の動きに応じて電子透かしの埋め込み量を決定する埋め込み量決定手段と、
該決定された埋め込み量の電子透かし信号を映像信号に埋め込む埋め込み手段と、
を具備することを特徴とする電子透かし処理装置。
【請求項２】
各フレーム又はフィールドの映像の特徴に適応的に電子透かしの埋め込みを制御する面内適応処理手段をさらに備える、
ことを特徴とする請求項１に記載の電子透かし処理装置。
【請求項３】
前記埋め込み量決定手段は、該検出された映像の動きが増大するに従って電子透かしの埋め込み量を減少させる、
ことを特徴とする請求項１に記載の電子透かし処理装置。
【請求項４】
前記埋め込み量決定手段は、該検出された映像の動きの変化に対して非線形的に電子透かしの埋め込み量を変化させる、
ことを特徴とする請求項３に記載の電子透かし処理装置。
【請求項５】
前記埋め込み量決定手段は、該検出された映像の動きが所定値を越えると、該映像の動きが増大するに従って電子透かしの埋め込み量を増大させる、
ことを特徴とする請求項３に記載の電子透かし処理装置。
【請求項６】
フレーム又はフィールド内で電子透かしを埋め込む場所を該検出された映像の動きに追従させる動き追従手段をさらに備える、
ことを特徴とする請求項１に記載の電子透かし処理装置。
【請求項７】
前記埋め込み量決定手段は、前記動き追従手段が映像の動きの追従に失敗した又は失敗したと推定されるときに動作する、
ことを特徴とする請求項６に記載の電子透かし処理装置。
【請求項８】
前記動き検出手段は映像の動き方向を検出し、
前記埋め込み量決定手段は検出された動き方向に直交する電子透かし成分の埋め込み量を制御する、
ことを特徴とする請求項１に記載の電子透かし処理装置。
【請求項９】
前記動き検出手段は、映像の垂直方向の動きを検出する垂直方向動き検出手段と、映像の水平方向の動きを検出する動き検出手段とを備え、
前記埋め込み量決定手段は、該検出された映像の垂直方向の動きに応じて電子透かしの水平成分の埋め込み量を決定する水平成分埋め込み量決定手段と、該検出された映像の水平方向の動きに応じて電子透かしの垂直成分の埋め込み量を決定する垂直成分埋め込み量決定手段を備える、
ことを特徴とする請求項１に記載の電子透かし処理装置。
【請求項１０】
電子透かし信号の水平成分を生成する手段と、電子透かし信号の垂直成分を生成する手段をさらに備える、
ことを特徴とする請求項９に記載の電子透かし処理装置。
【請求項１１】
前記面内適応処理手段は、映像信号の各方向の成分及び電子透かし信号の各方向の成分を抽出する方向性フィルタを備えて、面内のマスキング効果を狙った適応処理を行ない、
前記動き検出手段は、映像信号の各方向の動きを検出し、
前記埋め込み量決定手段は、前記面内適応処理手段により抽出された電子透かし信号成分のうち前記動き検出手段により検出された映像の動きと直交するものの埋め込み量を適応的に制御する、
ことを特徴とする請求項２に記載の電子透かし処理装置。
【請求項１２】
映像信号に電子透かし信号を埋め込むための電子透かし処理方法であって、
映像の動きを検出する動き検出ステップと、
該検出された映像の動きに応じて電子透かしの埋め込み量を決定する埋め込み量決定ステップと、
該決定された埋め込み量の電子透かし信号を映像信号に埋め込む埋め込みステップと、
を具備することを特徴とする電子透かし処理方法。
【請求項１３】
各フレーム又はフィールドの映像の特徴に適応的に電子透かしの埋め込みを制御する面内適応処理ステップをさらに備える、
ことを特徴とする請求項１２に記載の電子透かし処理方法。
【請求項１４】
前記埋め込み量決定ステップでは、該検出された映像の動きが増大するに従って電子透かしの埋め込み量を減少させる、
ことを特徴とする請求項１２に記載の電子透かし処理方法。
【請求項１５】
映像信号に埋め込まれた電子透かしを検出するための電子透かし処理装置であって、
映像の動きを検出する動き検出手段と、
該検出された映像の動きに応じて電子透かしの埋め込み量を決定する埋め込み量決定手段と、
該決定された埋め込み量に応じた検出感度で電子透かしを検出する検出手段と、
を具備することを特徴とする電子透かし処理装置。
【請求項１６】
各フレーム又はフィールドの映像の特徴に適応的に電子透かしの検出感度を制御する面内適応処理手段をさらに備える、
ことを特徴とする請求項１５に記載の電子透かし処理装置。
【請求項１７】
前記埋め込み量決定手段は、該検出された映像の動きが増大するに従って電子透かしの埋め込み量を減少させる、
ことを特徴とする請求項１５に記載の電子透かし処理装置。
【請求項１８】
前記埋め込み量決定手段は、該検出された映像の動きの変化に対して非線形的に電子透かしの埋め込み量を変化させる、
ことを特徴とする請求項１７に記載の電子透かし処理装置。
【請求項１９】
前記埋め込み量決定手段は、該検出された映像の動きが所定値を越えると、該映像の動きが増大するに従って電子透かしの埋め込み量を増大させる、
ことを特徴とする請求項１７に記載の電子透かし処理装置。
【請求項２０】
フレーム又はフィールド内で電子透かしを埋め込む場所を該検出された映像の動きに追従させる動き追従手段をさらに備える、
ことを特徴とする請求項１５に記載の電子透かし処理装置。
【請求項２１】
前記埋め込み量決定手段は、前記動き追従手段が映像の動きの追従に失敗した又は失敗したと推定されるときに動作する、
ことを特徴とする請求項２０に記載の電子透かし処理装置。
【請求項２２】
前記動き検出手段は映像の動き方向を検出し、
前記埋め込み量検出手段は検出された動き方向に直交する電子透かし成分の埋め込み量を制御する、
ことを特徴とする請求項１５に記載の電子透かし処理装置。
【請求項２３】
前記動き検出手段は、映像の垂直方向の動きを検出する垂直方向動き検出手段と、映像の水平方向の動きを検出する水平方向動き検出手段とを備え、
前記埋め込み量決定手段は、該検出された映像の垂直方向の動きに応じて電子透かしの水平成分の埋め込み量を決定する水平成分埋め込み量決定手段と、該検出された映像の水平方向の動きに応じて電子透かしの垂直成分の埋め込み量を決定する垂直成分埋め込み量決定手段を備える、
ことを特徴とする請求項１５に記載の電子透かし処理装置。
【請求項２４】
映像信号に埋め込まれた電子透かしを検出するための電子透かし処理方法であって、
映像の動きを検出する動き検出ステップと、
該検出された映像の動きに応じて電子透かしの埋め込み量を決定する埋め込み量決定ステップと、
該決定された埋め込み量に応じた検出感度で電子透かしを検出する検出ステップと、
を具備することを特徴とする電子透かし処理方法。
【請求項２５】
各フレーム又はフィールドの映像の特徴に適応的に電子透かしの検出感度を制御する面内適応処理ステップをさらに備える、
ことを特徴とする請求項２４に記載の電子透かし処理方法。
【請求項２６】
前記埋め込み量決定ステップでは、該検出された映像の動きが増大するに従って電子透かしの埋め込み量を減少させる、
ことを特徴とする請求項２４に記載の電子透かし処理方法。
【請求項２７】
映像信号に電子透かし信号を埋め込むための処理をコンピュータ・システム上で実行するように記述されたコンピュータ・ソフトウェアをコンピュータ可読形式で物理的に格納した記憶媒体であって、前記コンピュータ・ソフトウェアは、前記コンピュータ・システムに対し、
映像の動きを検出する動き検出手順と、
該検出された映像の動きが増大するに従って電子透かしの埋め込み量を減少させる埋め込み量決定手順と、
該決定された埋め込み量の電子透かし信号を映像信号に埋め込む埋め込み手順と、
を実行させることを特徴とする記憶媒体。
【請求項２８】
映像信号に埋め込まれた電子透かし信号を検出するための処理をコンピュータ・システム上で実行するように記述されたコンピュータ・ソフトウェアをコンピュータ可読形式で物理的に格納した記憶媒体であって、前記コンピュータ・ソフトウェアは、前記コンピュータ・システムに対し、
映像の動きを検出する動き検出手順と、
該検出された映像の動きが増大するに従って電子透かしの埋め込み量を減少させる埋め込み量決定手順と、
該決定された埋め込み量に応じた検出感度で電子透かしを検出する検出手順と、
を実行させることを特徴とする記憶媒体。
【請求項２９】
映像信号を格納する記憶媒体であって、
原信号の映像の動きが増大するに従って埋め込み量を減少させて電子透かしが埋め込まれている映像信号を格納する、
ことを特徴とする記憶媒体。